(57)【要約】【課題】作業者および物体の落下を防止することができる枠組足場および並びにその枠組足場において用いられる枠組足場用桟を提供する。【解決手段】筋違と床付き布枠を含む枠組足場であって、床付き布枠と、前記筋違と前記床付き布枠との間の空間に設けられる桟と、前記桟と前記床付き布枠との間に設けられる落下防止材とを備え、前記落下防止材は、前記桟に取り付けられていることを特徴とする枠組足場およびその枠組足場用桟。【選択図】図８
2010275738.tif 000002
【特許請求の範囲】
【請求項１】
筋違と床付き布枠を含む枠組足場であって、床付き布枠と、前記筋違と前記床付き布枠との間の空間に設けられる桟と、前記桟と前記床付き布枠との間に設けられる落下防止材とを備え、前記落下防止材は、前記桟に取り付けられていることを特徴とする枠組足場。
【請求項２】
前記落下防止材は、さらに前記床付き布枠に取り付けられていることを特徴とする請求項１に記載の枠組足場。
【請求項３】
前記落下防止材は、網材または布材であることを特徴とする請求項１または２に記載の枠組足場。
【請求項４】
各桟にそれぞれ１つの落下防止材が取り付けられていることを特徴とする請求項１から３までのいずれかに記載の枠組足場。
【請求項５】
複数の桟に共通の１つの落下防止材が取り付けられており、隣接する桟の間において落下防止材に余裕代が形成されていることを特徴とする請求項４に記載の枠組足場。
【請求項６】
前記落下防止材は、面材であることを特徴とする請求項１または２に記載の枠組足場。
【請求項７】
筋違と床付き布枠を含む枠組足場の前記筋違と前記床付き布枠との間の空間に設けられる桟であって、
前記桟は、網材、布材または面材のいずれかからなる落下防止材が取り付けられていることを特徴とする枠組足場用桟。
【発明の詳細な説明】
【技術分野】
【０００１】
本発明は、建築現場等の枠組足場および枠組足場用桟（さん）に関する。
【背景技術】
【０００２】
建築現場等で用いられる枠組足場は、通常、横桟と縦柱から構成されるＨ形状や鳥居形状の建枠複数個を筋違（すじかい）や手摺枠を取り付けて組み立てることによって形成される（例えば、特許文献１参照）。すなわち、建枠の複数個を、所定の間隔で建物等の構造物とは直角に立設し、隣接する建枠の縦柱の間に筋違や手摺枠を取り付け固定して複数個の建枠を自立させた後、隣接する建枠の横桟の間に床付き布枠（布板ともいう。）を１枚又は２枚以上架け渡すことで、１単位の足場を形成する。次に、既に立設した建枠の上に、別途用意された建枠を立設し、同様にして筋違や手摺枠を隣接する建枠の間に取り付け固定した後、新たに立設した建枠の横桟の上に床付き布枠を１枚又は２枚以上架け渡すことによって一つ上の段の足場を形成する。これを順次繰り返すことによって、全体の枠組み足場を形成する。
【０００３】
この建枠として、鳥居形状の建枠（以下、「鳥居枠」という。）を用いて枠組足場を形成する一例を、図１に示す。(a)が正面図、(b)が右側面図である。
【０００４】
まず３個の鳥居枠４を建物２２とは直角に等間隔に並べ、隣接する鳥居枠４との間に、建物とは反対側に筋違１３をロック金具８ｂに取り付け、そして建物側にも筋違１３をロック金具８ａに取り付けて、１段目の鳥居枠４を自立させることによって、１段目の足場を形成する。その後、１段目の隣接する鳥居枠４の上部の横桟３の間に２段目の足場板となる床付き布枠１１を架け渡した後、既に立設した１段目の鳥居枠４の縦柱２の上に、別途用意した鳥居枠４の縦柱２の下部を載置し、固定ピン（図示せず）で固定することによって、２段目の鳥居枠４を立設する。その後、１段目と同様にして、建物とは反対側に筋違１３をロック金具８ｂに取り付け、そして、建物側にも筋違１３をロック金具８ａに取り付けて、２段目の鳥居枠４を自立させることによって、２段目の足場を形成する。その後、２段目の隣接する鳥居枠４の上部の横桟３の間に３段目の足場板となる床付き布枠１１を架け渡した後、既に立設した２段目の鳥居枠４の縦柱２の上に、別途用意した鳥居枠４の縦柱２の下部を載置し、固定ピン（図示せず）で固定することによって、３段目の鳥居枠４を立設する。その後、２段目と同様にして、建物とは反対側に筋違１３をロック金具８ｂに取り付け、そして、建物側にも筋違１３をロック金具８ａに取り付けて、３段目の鳥居枠４を自立させることによって、３段目の足場を形成する。このようにして、必要な段数になるまで枠組足場を形成する。
【０００５】
なお、ここでは筋違を用いることによって各段の枠組を自立させる手順を説明したが、筋違の一部を手摺枠に置き換えて各段の枠組を自立させてもよい。
【０００６】
また、建枠を用いる他の例として、Ｈ形状の建枠（以下、「Ｈ枠」という。）を用いて枠組足場を形成する１例を、図２に示す。(a)が正面図、(b)が右側面図である。
【０００７】
３個のＨ枠１を建物２２とは直角に等間隔に並べ、隣接するＨ枠の間に、建物とは反対側に手摺枠１０をロック金具６ｂに取り付けて、１段目のＨ枠１を自立させる。さらに、建物とは反対側に手摺枠１０をロック金具７ｂに取り付け、そして建物側の筋違（斜材）１３をロック金具７ａに取り付けて固定する。その後、１段目の隣接するＨ枠１の横桟３の間に床付き布枠１１を架け渡して、１段目の足場を形成する。次に、既に立設した１段目のＨ枠１の縦柱２の上に、別途用意したＨ枠１の縦柱２の下部を載置し、固定ピン（図示せず）で固定することによって、２段目のＨ枠１を立設する。その後、１段目と同様にして、建物とは反対側に手摺枠１０をロック金具６ｂと７ｂに取り付け、そして、建物側に筋違１３をロック金具７ａに取り付けて固定し、その後、２段目のＨ枠１の横桟３に床付き布枠１１を架け渡して、２段目の足場を形成する。３段目の足場も、２段目の足場と同じ手順で組み立てる。すなわち、建物とは反対側に手摺枠１０を取り付け、そして、建物側に筋違１３を取り付けて固定し、その後、３段目のＨ枠１の横桟３に床付き布枠１１を架け渡して、３段目の足場を形成する。このようにして、必要な段数になるまで枠組足場を形成する。
【０００８】
なお、ここでは手摺枠と筋違を用いることによって各段の枠組を自立させる手順を説明したが、手摺枠を用いることなく筋違だけでも枠組を自立させることができる。
【先行技術文献】
【特許文献】
【０００９】
【特許文献１】特開２００８−１６３７４０号公報
【発明の概要】
【発明が解決しようとする課題】
【００１０】
このように枠組足場においては、隣接する建枠の縦柱の間には筋違（すじかい）又は手摺枠が設けられている。
【００１１】
しかしながら、建物側の縦柱の間には、通常は筋違１３が設けられているだけであって、筋違１３と床付き布枠１１との間には大きな空間が形成されている。そのため、その空間から作業者が足を滑らしたり、落下したりするおそれがあった。また、上記の空間から建築材料または工具等の物体が落下するおそれもあった。
【００１２】
また、建物とは反対側の縦柱の間も同様な空間が形成されることが多い。図１に例示した鳥居枠からなる枠組足場においては、建物とは反対側の縦柱の間は筋違１３が設けられているだけであるから、筋違１３と床付き布枠１１との間には大きな空間が形成されている。図２に例示したＨ枠からなる枠組足場においては、建物とは反対側の縦柱の間は手摺枠１０が設けられているから、図１の鳥居枠に比べると空間は小さくなっているが、その手摺枠１０の枠模様や設置場所によっては、大きな空間が形成されるおそれがある。また、必ずしも手摺枠１０が設置されるとは限らず、図１と同様に、筋違１３で代用される場合がある。そこで、このような問題を解決するために、枠組足場の建物側およびその反対側の空間を小さくすることによって、その空間から作業者が足を滑らしたり、落下したりすることを防止するための対策を採ることが求められている。
【００１３】
枠組足場の建物側およびその反対側の空間を小さくするための対策として、まず思いつくのは、その空間部分に下桟あるいはさらに中桟等の桟を設けることによって、空間を小さくすることである。この場合、従来から用いられている手摺を下桟あるいはさらに中桟として用いれば、新たな部材を開発する必要がないので、枠組足場のコスト上昇を抑制することができる。図３にその一例を示す。
【００１４】
図３は、鳥居枠からなる枠組足場に下桟を設けた場合の一例を示す斜視図である。なお、図３には枠組足場の一部（２つの鳥居枠４と、その２つの鳥居枠の間に設けられる１つの床付き布枠１１）のみが示されているが、実際には、図１で説明したように、枠組足場はより多くの鳥居枠４および床付き布枠１１により構成されている。
【００１５】
図３に示す例では、下桟としての手摺３０が、隣接する鳥居枠４の建物２２側の縦柱２の下部に、床付き布枠１１から一定間隔を開けて水平に設置されている。この手摺３０は、円筒状のパイプの両端部が押し潰された平板形状を有し、この両端の平板に穿たれた取付孔を、隣接する縦柱２に設けられたロック金具８ａに掛けることによって、隣接する縦柱２の間に手摺３０を取り付けることができる。同様に、鳥居枠４の建物２２とは反対側の縦柱２の下部にも手摺３０が下桟として設置されている。このように手摺３０を下桟として用いることにより、筋違１３と床付き布枠１１との間の空間を小さくすることができ、その空間から作業者が足を滑らしたり、落下したりすることを防止することができる。
【００１６】
なお、従来から用いられている筋違や手摺等の足場構成部材は、通常、円筒状のパイプの両端部が押し潰された平板形状を有し、この両端の平板に穿たれた取付孔を、隣接する縦柱に設けられたロック金具に掛けることによって、縦柱に取り付けることができる。
【００１７】
ところで、上記のように下桟を設けることにより作業者の落下を防止することはできるが、工具等の物体が落下することを十分に防止することはできない。具体的には、下桟（手摺３０）と床付き布枠１１との間の空間から物体が落下する可能性が残る。そこで、そのような物体の落下を防止するために、図４に示すように、枠組足場の建物２２とは反対側の全面（図４においては、枠組足場の一部のみが示されている。）にメッシュシート（防網）等の網材２３を設けることが考えられる。この網材により、枠組足場の建物２２とは反対側（例えば、道路等）に物体が落下することを防止することができる。一方、作業者が建物２２に対して作業を行うことを考慮すると、枠組足場の建物２２側の全面に網材２３を設けることは好ましくない。しかしながら、図４に示すように建物２２側に網材２３を設けない場合には、枠組足場の建物２２側に物体が落下することを十分に防止することができない。
【００１８】
本発明は、上記のような問題を解決するためになされたものであって、作業者および物体の落下を防止することができる枠組足場およびその枠組足場において用いられる枠組足場用桟を提供することを目的とする。
【課題を解決するための手段】
【００１９】
本発明者らは、上記のような問題点を解決するために、次の(a)〜(d)に示すとおり、検討を重ねた。
【００２０】
(a) 作業者の作業内容を考慮すると、枠組足場の建物側の全面に網材を設けることは好ましくない。そこで、本発明者等は、枠組足場の建物側に幅木を取り付けることにより、物体の落下を防止することを試みた。
【００２１】
(b) 図５は、幅木が設置された枠組足場の一例である。この枠組足場においては、建物２２側の横桟３上に幅木２４が取り付けられている。なお、枠組足場の建物２２とは反対側には全面に図４と同様に網材が設けられている（図示せず）。
【００２２】
図５に示すように幅木２４を取り付けることにより、建物２２側においても物体の落下を防止することができる。また、幅木２４の高さｈを十分に確保（例えば、１５ｃｍ以上）することにより、作業者の落下も防止することができる。しかしながら、幅木２４は手摺３０に比べてコストが高く、さらに運搬効率が悪いという問題がある。また、下桟としての手摺３０（図４参照）の取り付けおよび取り外し作業に比べて、幅木２４の取り付けおよび取り外し作業は容易ではない。また、作業者が建物２２に乗り移る際には幅木２４を一旦取り外す必要があるが、そのときの幅木２４の取り外し作業およびその後の取り付け作業に手間がかかるため、作業効率が低下する。
【００２３】
(c) そこで、本発明者らは、幅木を用いることなく物体の落下を防止することを試みた。図６は、幅木を用いることなく建物２２側への物体の落下を防止した枠組足場の一例を示す図である。なお、枠組足場の建物２２とは反対側の全面には図４と同様に網材が設けられている（図示せず）。
【００２４】
この枠組足場では、鳥居枠４の建物２２側の各縦柱２の下部に、横桟３を延長する形でそれぞれブラケット（持ち送り枠）２５が固定されている。そして、そのブラケット２５間に長尺状の網材２６が略水平に設けられている。したがって、この網材２６によって物体が建物２２側に落下することを防止することができる。また、図４で示した枠組足場と同様に、手摺３０が下桟として設けられているので、作業者の落下も防止することができる。しかしながら、この枠組足場では、ブラケット２５を設置しなければならないので、枠組足場の形成に手間がかかるという問題が生じる。
【００２５】
(d) そのため、本発明者らは、さらに、ブラケットを用いることなく物体の落下を防止することを試みた。図７は、ブラケットを用いることなく建物２２側への物体の落下を防止した枠組足場の一例を示す図である。なお、枠組足場の建物２２とは反対側の全面には図４と同様に網材が設けられている（図示せず）。
【００２６】
この枠組足場では、下桟としての手摺３０は建物２２とは反対側にのみ設けられており、建物２２側の隣接する縦柱２の間に、床付き布枠１１に対して略垂直になるように網材２６が設けられている。この枠組足場においては、紐等によって網材２６が縦柱２に直接取り付けられているので、ブラケット２５（図６参照）を設置する必要がない。したがって、枠組足場の形成が容易になる。なお、網材２６を縦柱２に直接取り付ける場合、図７に示すように網材２６の中央部分が垂れ下がる。そのため、物体の落下を確実に防止するためには、網材２６の中央部分の高さが十分に確保されるように、網材２６の両端を高めの位置に取り付けなければならない。この場合、網材２６の取り付け位置を予め十分に考慮しなければならず、作業効率の点で問題が残る。また、この枠組足場では、作業員が枠組足場から建物２２に乗り移る際には網材２６を縦柱２から一旦取り外さなければならないが、そのとき取り外した網材２６が風によって飛ばされて落下するおそれがある。
【００２７】
このような検討結果を踏まえて、本発明者等は、次の(e)〜(i)に示すとおり、簡易な構成で枠組足場からの物体の落下の防止を図るために有用な知見を得た。
【００２８】
(e) 枠組足場の建物側において、筋違と床付き布枠との間の空間から作業者が落下することを防止するためには、その空間に桟を設ければよい。また、その桟と床付き布枠との間から工具等の物体が落下することを防止するためには、桟と床付き布枠との間に落下防止材を設ければよい。
【００２９】
(f) 桟と落下防止材との間から物体が落下することを防止するためには、落下防止材を桟に一体となって取り付けることができるようにすることによって落下防止材の垂れ下がりを防止し、桟と落下防止材との間に大きな隙間が形成されることを防止すればよい。また、この場合、落下防止材が桟に一体となって取り付けられることによって、落下防止材が風等によって飛ばされることを防止することができる。
【００３０】
(g) 落下防止材と床付き布枠との間から物体が落下することを防止するためには、落下防止材を床付き布枠に一体となって取り付けることができるようにすることによって、床付き布枠と落下防止材との間に大きな隙間が形成されることを防止すればよい。なお、桟を落下防止材から取り外した場合には、筋違と床付き布枠との間に十分な空間を形成することができる。したがって、作業者はその空間を利用して建物等に容易に移動することができる。
【００３１】
(h) 落下防止材としては、網材、布材または面材のうちのいずれかを用いることが好ましい。可撓性のある網材または布材を用いた場合には、桟を取り外した後に落下防止材を桟に巻いた状態で床付き布枠の上に載置することができる。
【００３２】
(i) 落下防止材として１枚の大きな網材または布材を複数の桟に取り付けてもよいが、この場合には、隣接する桟の間において網材または布材に余裕代（遊び）を形成することが好ましい。この場合、桟を取り外す際に、その余裕代が拡がることにより網材または布材が十分にたるむので、桟の取り外しが容易になる。
【００３３】
本発明は、上記の知見に基づいて完成したものであって、その要旨は下記の（１）〜（６）の枠組足場および（７）の枠組足場用桟にある。以下、総称して、本発明という。
【００３４】
（１）筋違と床付き布枠を含む枠組足場であって、床付き布枠と、前記筋違と前記床付き布枠との間の空間に設けられる桟と、前記桟と前記床付き布枠との間に設けられる落下防止材とを備え、前記落下防止材は、前記桟に取り付けられていることを特徴とする枠組足場。
【００３５】
（２）前記落下防止材は、さらに前記床付き布枠に取り付けられていることを特徴とする上記（１）に記載の枠組足場。
【００３６】
（３）前記落下防止材は、網材または布材であることを特徴とする上記（１）または（２）に記載の枠組足場。
【００３７】
（４）各桟にそれぞれ１つの落下防止材が取り付けられていることを特徴とする上記（１）から（３）までのいずれかに記載の枠組足場。
【００３８】
（５）複数の桟に共通の１つの落下防止材が取り付けられており、隣接する桟の間において落下防止材に余裕代が形成されていることを特徴とする上記（４）に記載の枠組足場。
【００３９】
（６）前記落下防止材は、面材であることを特徴とする上記（１）または（２）に記載の枠組足場。
【００４０】
（７）筋違と床付き布枠を含む枠組足場の前記筋違と前記床付き布枠との間の空間に設けられる桟であって、前記桟は、網材、布材または面材のいずれかからなる落下防止材が取り付けられていることを特徴とする枠組足場用桟。
【発明の効果】
【００４１】
本発明に係る枠組足場および枠組足場用桟は、作業者および物体の落下を防止することができる。
【図面の簡単な説明】
【００４２】
【図１】鳥居枠を用いて枠組足場を形成する一例である。
【図２】Ｈ枠を用いて枠組足場を形成する一例である。
【図３】鳥居枠からなる枠組足場に下桟を設けた場合の一例を示す斜視図である。
【図４】建物とは反対側に網材を全面に設けた場合の枠組足場の一例を示す斜視図である。
【図５】建物側に幅木が設置された枠組足場の一例である。
【図６】幅木を用いることなく建物側への物体の落下を防止した枠組足場の一例を示す図である。
【図７】ブラケットを用いることなく建物側への物体の落下を防止した枠組足場の一例を示す図である。
【図８】本発明に係る枠組足場の一例を示す図である。
【図９】図８の桟の一例を示す図である。
【図１０】網材の桟への取り付け方法の一例を示す図である。
【図１１】網材の桟への取り付け方法の他の例を示す図である。
【図１２】網材の桟への取り付け方法のさらに他の例を示す図である。
【図１３】網材の桟への取り付け方法のさらに他の例を示す図である。
【図１４】網材の床付き布枠への取り付け方法の一例を示す図である。
【図１５】網材の床付き布枠への取り付け方法の他の例を示す図である。
【図１６】桟をロック金具から取り外した状態の枠組足場を示す図である。
【図１７】複数本の桟に長尺状（帯状）の１枚の網材が取り付けられた枠組足場を示す図である。
【図１８】桟に面材を取り付けた場合の枠組足場の一例を示す図である。
【図１９】面材の桟への取り付け方法を説明するための図である。
【図２０】面材の主面部の下端の固定方法を説明するための図である。
【発明を実施するための形態】
【００４３】
以下、本発明の実施の形態に係る枠組足場および枠組足場用桟（以下、桟と略記する。）について説明する。
【００４４】
図８は、本発明に係る枠組足場の一例を示す図である。なお、図８には、枠組足場１００の一部が示されており、実際には、図１に示した枠組足場と同様に、複数の鳥居枠４および複数の床付き布枠１１等によって枠組足場１００が構成されている。また、枠組足場１００の建物２２とは反対側の全面には図４と同様に網材が設けられている（図示せず）。
【００４５】
図８に示す枠組足場１００が図４に示した枠組足場と異なる点は、手摺３０（図４参照）の代わりに桟４０が設けられている点および建物２２側の桟４０に落下防止材としての網材５０が一体となって取り付けられている点である。網材５０の下端側は、床付き布枠１１に一体となって取り付けられている。なお、網材５０は略長方形状であり、網材５０の長辺の長さは桟４０の長さに略等しい。また、桟４０の横桟３からの高さｈ１は、１５ｃｍ以上に設定されることが好ましく、例えば、１５ｃｍ〜５０ｃｍに設定される。
【００４６】
図９は、図８の桟４０の一例を示す図である。図９において、（ａ）は正面図であり、（ｂ）は上面図である。
【００４７】
図９に示すように、桟４０は、円筒状のパイプ４１および薄い平板形状の端部金具４２により構成される。端部金具４２の板厚は、３．６ｍｍ以下とするのが好ましい。端部金具４２の一端側には、ロック金具８ａ,８ｂ（図８参照）を通すための取付孔４３が形成されている。端部金具４２の他端側には、略凹状の切欠き４４が形成されている。パイプ４１の一端および他端は、切欠き４４に勘合された状態で端部金具４２に溶接されている。なお、パイプ４１と端部金具４２との接合部の構造は特に限定されない。例えば、パイプ４１に端部金具４２が勘合可能な切欠きを形成する場合には、端部金具４２に切欠き４４を形成しなくてもよい。なお、本例においては桟４０を用いているが、桟４０の代わりに従来の手摺３０を用いてもよい。
【００４８】
図１０は、網材５０の桟４０への取り付け方法の一例を示す図である。なお、図１０には、桟４０の一端が示されている。また、図１０においては、ロック金具８ａ（図８参照）は図示していない。
【００４９】
図１０に示すように、本例に係る枠組足場１００においては、網材５０は、複数の紐５１（図１０には１つの紐５１のみ図示した。）によって桟４０に取り付けられている。このように紐５１によって網材５０を桟４０に取り付けることにより、網材５０の中央部分が垂れ下がることを防止することができる。
【００５０】
なお、網材５０の桟４０への取り付け方法は上記の例に限定されない。例えば、図１１に示すように、紐５１の代わりにフック５２を用いて網材５０を桟４０に取り付けてもよい。また、例えば、図１２に示すように、パイプ４１および端部金具４２に取付孔４５,４６を形成し、その取付孔４５,４６に紐５１（図１０）またはフック５２（図１１）等を通して、網材５０を桟４０に取り付けてもよい。なお、取付孔４５は、パイプ４１の軸方向において等間隔で複数形成されることが好ましい。また、例えば、図１３に示すように、取付孔４５（図１２）の代わりに半リング状の取付金具４７をパイプ４１に設けて、その取付金具４７に紐５１（図１０）またはフック５２（図１１）等を通して網材５０を取り付けてもよい。なお、取付金具４７も、取付孔４５と同様に等間隔で複数形成されることが好ましい。
【００５１】
図１４は、網材５０の下端部の床付き布枠１１への取り付け方法の一例を示す図である。なお、図１４には、床付き布枠１１の長手方向に垂直な断面が示されている。
【００５２】
図８および図１４に示すように、本例の枠組足場１００においては、床付き布枠１１は２枚の主材１４により構成されている。各主材１４は、上面に長尺の床材部１４ａとその両縁側面に一体化されて形成される長尺の布材部１４ｂからなる。さらに、図１４に示すように、床材部１４ａの両縁側面の下面の内側にはリップ１４ｃが床材部１４ａと一体化されて設けられている。また、図８および図１４に示すように、この床付き布枠１１の中央部の下側には、床付き布枠１１が幅方向に撓るのを防止するため、桟木１５が設けられている。本例においては、この桟木１５にフック５２の一端側を係止させ、フック５２の他端側を網材５０の下端側に係止させることにより、網材５０の下端側を床付き布枠１１に取り付けている。
【００５３】
なお、上記の例では、床付き布枠１１が２つの主材１４によって構成されているが、床付き布枠１１が１つの主材１４によって構成されてもよい。また、網材５０の床付き布枠１１への取り付け方法は上記の例に限定されない。例えば、フック５２の代わりに紐５１（図１０参照）を用いて網材５０の下端側を桟木１５に取り付けてもよい。また、例えば、図１５に示すように、フック５２の一端側をリップ１４ｃに係止させることにより、網材５０を床付き布枠１１に取り付けてもよい。
【００５４】
以上のように、本例に係る枠組足場１００では、桟４０に網材５０が一体となって取り付けられているので、建物２２側において、桟４０と床付き布枠１１との間の空間が網材５０によって塞がれている。したがって、建物２２から作業者および物体が落下することを防止することができる。また、網材５０の下端側が床付き布枠１１に取り付けられているので、網材５０と床付き布枠１１との間から物体が落下することを防止することができる。以上の結果、枠組足場１００の建物２２側に作業者および物体が落下することを確実に防止することができる。
【００５５】
図１６は、作業者が建物２２に乗り移るために建物２２側の桟４０をロック金具８ａから取り外した状態の枠組足場１００を示す図である。上述したように、本発明に係る枠組足場１００においては、網材５０が桟４０に取り付けられている。したがって、図１６に示すように桟４０をロック金具８ａから取り外すことにより、網材５０によって塞がれていた桟４０と床付き布枠１１との間の空間を開放することができる。このように、本例に係る枠組足場１００においては、桟４０をロック金具８ｂから取り外すことにより、作業者が建物２２に乗り移るための空間を容易に形成することができる。それにより、作業効率を向上させることができる。また、網材５０は桟４０および床付き布枠１１に取り付けられているので、網材５０が風によって飛ばされることを防止することができる。
【００５６】
なお、上記においては、各桟４０に、その桟４０と同等の長さの網材５０を取り付ける場合について説明したが、網材５０の形状および大きさは上記の例に限定されない。例えば、図１７に示すように、複数本の桟４０に長尺状（帯状）の１枚の網材５０を取り付けてもよい。なお、本発明に係る枠組足場１００においては、互いに隣接する２本の桟４０が共通のロック金具８ａに固定されるが、その共通のロック金具８ａの近傍において、網材５０に余裕代５０ａが形成されている。余裕代５０ａは、例えば、網材５０の一部を折り畳むことによって形成することができる。以下、余裕代５０ａを形成する理由を説明する。
【００５７】
余裕代５０ａが形成されていない状態で１つの網材５０が複数の桟４０にまたがって取り付けられている場合、網材５０においてある程度の張力が維持される。その状態で複数本の桟４０のうちの一本の桟４０を取り外す場合、その桟４０に取り付けられている網材５０の部分と、他の桟４０に取り付けられている網材５０の部分とが互いに引っ張り合い、桟４０の取り外しが困難になる場合がある。また、その状態で桟４０のみをロック金具８ａおよび網材５０から取り外しても、網材５０が十分な張力を保持しているので、桟４０が取り外された部分において網材５０が十分に垂れ下がらない場合がある。この場合、筋違１３と床付き布枠１１との間に十分な空間が形成されず、作業者が建物２２に乗り移ることが困難になる。これに対して、余裕代５０ａが形成されている場合、複数本の桟４０のうちの一本の桟４０を取り外す際に、その取り外される桟４０に従って余裕代５０ａが拡がる。したがって、取り外される桟４０に取り付けられている網材５０の部分と、他の桟４０に取り付けられている網材５０の部分とが互いに引っ張り合うことがなく、桟４０を容易に取り外すことができる。また、桟４０のみが取り外される場合には、余裕代５０ａが拡がることにより、桟４０が取り外された部分において網材５０が十分に垂れ下がり、筋違１３と床付き布枠１１との間に十分な空間が形成される。したがって、作業者は容易に建物２２側へ移動することができる。
【００５８】
なお、上記においては、落下防止材として網材５０を桟４０に取り付けた例について説明したが、網材５０の代わりに布材（例えば、合成樹脂製のシート等）を落下防止材として用いてもよく、あるいは鋼製、木製、プラスチック製またはアルミ製等の面材を落下防止材として用いてもよい。
【００５９】
図１８は、桟４０に面材を取り付けた場合の枠組足場１００の一例を示す図である。図１８に示すように、本例においては、面材５３の上端部が桟４０に取り付けられ、面材５３の下端は床付き布枠１１に接触している。
【００６０】
図１９は、面材５３の桟４０への取り付け方法を説明するための図である。図１８および図１９に示すように、面材５３は、略長方形状の主面部５３ａおよび主面部５３ａの上端部において略鉤状に屈曲する鉤状部５３ｂからなる。また、図１９に示すように、主面部５３ａの上部の裏面側（鉤状部５３ｂ側）には、バネ等からなる固定部材５４が設けられている。このような構成において、桟４０のパイプ４１を鉤状部５３ｂ内に押し込むことにより、面材５３が桟４０に固定されている。
【００６１】
本例に係る枠組足場１００においては、固定部材５４により面材５３が桟４０から外れることが防止されるので、床付き布枠１１上から物体が落下することを確実に防止することができる。また、建物２２（図１８）側から面材５３に向かって風が吹いた場合でも、固定部材５４が設けられていることにより、面材５３の下端部が床付き布枠１１上から浮き上がることを防止することができる。なお、工具等の物体が通過不可能な大きさであれば、面材５３の全体に複数の貫通孔が形成されていてもよい。この場合、面材５３に与えられる風の影響を低減することができる。
【００６２】
なお、固定部材５４の代わりにボルト等を用いて面材５３を桟４０に固定してもよい。また、上記の例では、主面部５３ａの下端は固定されていないが、主面部５３ａの下端が固定されていてもよい。図２０は、主面部５３ａの下端を固定した状態の一例を示す図である。本例においては、主面部５３ａの下端が、フック５２を介して床付き布枠１１の主材１４のリップ１４ｃに固定されている。この場合、床付き布枠１１と主面部５３ａとの間に大きな隙間が生じることを防止することができるので、枠組足場１００から物体が落下することを確実に防止することができる。なお、フック５２の代わりに紐を用いて面材５３の下端部を主材１４に固定してもよい。
【産業上の利用可能性】
【００６３】
本発明に係る枠組足場および枠組足場用桟は、作業者および物体の落下を防止することができる。
【符号の説明】
【００６４】
１  Ｈ枠
２  縦柱
３  横桟
４  鳥居枠
６ｂ  ロック金具
７ａ  ロック金具
７ｂ  ロック金具
８ａ  ロック金具
８ｂ  ロック金具
９  爪部
１０  手摺枠
１１  床付き布枠
１３  筋違
１４  主材
１４ａ  床材部
１４ｂ  布材部
１４ｃ  リップ
１５  桟木
２２  建物
２３  網材
２４  幅木
２５  ブラケット
２６  網材
３０  手摺
４０  桟
４１  パイプ
４２  端部金具
４３  取付孔
４４  切欠き
４５  取付孔
４６  取付孔
４７  取付金具
５０  網材
５０ａ  余裕代
５１  紐
５２  フック
５３  面材
５３ａ  主面部
５３ｂ  鉤状部
５４  固定部材
１００  枠組足場
【図１】
2010275738.tif 000003
【図２】
2010275738.tif 000004
【図３】
2010275738.tif 000005
【図４】
2010275738.tif 000006
【図５】
2010275738.tif 000007
【図６】
2010275738.tif 000008
【図７】
2010275738.tif 000009
【図８】
2010275738.tif 000010
【図９】
2010275738.tif 000011
【図１０】
2010275738.tif 000012
【図１１】
2010275738.tif 000013
【図１２】
2010275738.tif 000014
【図１３】
2010275738.tif 000015
【図１４】
2010275738.tif 000016
【図１５】
2010275738.tif 000017
【図１６】
2010275738.tif 000018
【図１７】
2010275738.tif 000019
【図１８】
2010275738.tif 000020
【図１９】
2010275738.tif 000021
【図２０】
2010275738.tif 000022